(57)【要約】【課題】コンパクトな構造で必要時に術部を異なる角度から照明することができる手術顕微鏡を提供する。【解決手段】主光軸上Ｚの術部Ｅに対して主照明光Ｌ１とは異なる角度ｂで補助照明光Ｌ２を照射自在な補助照明手段１６が設けられているため、必要時に主照明光Ｌ１とは異なる角度ｂで補助照明光Ｌ２により術部Ｅを照明することができ、術部Ｅの立体的状態をより正確に把握することができる。【選択図】図３
2016202431.tif 000002
【特許請求の範囲】
【請求項１】
顕微鏡本体の一部に形成された光束取入部より術部からの光束を対物レンズの主光軸に沿って取入れ自在で、対物レンズの一端側から主光軸とは異なる角度の主照明光軸に沿って主照明光を主光軸上の術部へ向けて照射自在な手術顕微鏡であって、
前記顕微鏡本体に前記主照明光軸とは異なる角度の補助照明光軸に沿って補助照明光を術部へ向けて照射自在で且つ光源がＬＥＤである補助照明手段を設けたことを特徴とする手術顕微鏡。
【請求項２】
補助照明手段が回転自在で補助照明光軸の主光軸に対する角度が可変であることを特徴とする請求項１記載の手術顕微鏡。
【請求項３】
補助照明手段が、補助照明光を主光軸を挟んで対物レンズの１８０°反対側から術部へ向けて照射可能な位置に設けられていることを特徴とする請求項１又は請求項２記載の手術顕微鏡。
【請求項４】
主照明光及び補助照明光がそれぞれ対物レンズに形成された切欠部から術部へ向けて照射されることを特徴とする請求項１〜３のいずれか１項に記載の手術顕微鏡。
【請求項５】
補助照明手段からの補助照明光が光束取入部付近でいったん集光してから術部へ向けて照射されることを特徴とする請求項１〜４のいずれか１項に記載の手術顕微鏡。
【発明の詳細な説明】
【技術分野】
【０００１】
本発明はコンパクトな構造で必要時に術部を異なる角度から照明することができる手術顕微鏡に関する。
【背景技術】
【０００２】
脳神経外科等において使用される手術顕微鏡は、術部から反射された光束を、顕微鏡本体の下部に形成された取入口より内部に取り入れ、対物光学系及びズーム光学系を経て接眼部に導き、接眼部から術部の光学像を観察できるようになっている。
【０００３】
手術顕微鏡の光束取入部からはミラー等で反射した照明光が術部に照射される。照明光はキセノン光源等の光で術部に対して対物光学系の一端側から術部に対して斜めに照射される。照明光が斜めに当たるため術部に適度な影が生じ術部の立体的な観察が行える。
【先行技術文献】
【特許文献】
【０００４】
【特許文献１】特開２００４−１６３４１３号公報
【発明の概要】
【発明が解決しようとする課題】
【０００５】
しかしながらこのような関連技術にあっては、照明光を術部に対して斜めに照射することにより、術部に適度な影を生じさせて術部の立体感を把握することができるが、常に一定角度からの照射のため得られる立体感に変化がない。
【０００６】
そのため更に正確な立体感を得るために異なる角度から照明光を照射したいという要請がある。既存のキセノン光源等の照明手段の追加では手術顕微鏡の構造が大型化するため、コンパクトな構造で別の角度からの照明を可能とする手術顕微鏡の提案が待たれている。
【０００７】
本発明は、このような関連技術に着目してなされたものであり、コンパクトな構造で必要時に術部を異なる角度から照明することができる手術顕微鏡を提供することを目的としている。
【課題を解決するための手段】
【０００８】
請求項１記載の特徴によれば、顕微鏡本体の一部に形成された光束取入部より術部からの光束を対物レンズの主光軸に沿って取入れ自在で、対物レンズの一端側から主光軸とは異なる角度の主照明光軸に沿って主照明光を主光軸上の術部へ向けて照射自在な手術顕微鏡であって、前記顕微鏡本体に前記主照明光軸とは異なる角度の補助照明光軸に沿って補助照明光を術部へ向けて照射自在で且つ光源がＬＥＤである補助照明手段を設けたことを特徴とする。
【０００９】
請求項２記載の特徴によれば、補助照明手段が回転自在で補助照明光軸の主光軸に対する角度が可変であることを特徴とする。
【００１０】
請求項３記載の特徴によれば、補助照明手段が、補助照明光を主光軸を挟んで対物レンズの１８０°反対側から術部へ向けて照射可能な位置に設けられていることを特徴とする。
【００１１】
請求項４記載の特徴によれば、主照明光及び補助照明光がそれぞれ対物レンズに形成された切欠部から術部へ向けて照射されることを特徴とする。
【００１２】
請求項５記載の特徴によれば、補助照明手段からの補助照明光が光束取入部付近でいったん集光してから術部へ向けて照射されることを特徴とする。
【発明の効果】
【００１３】
請求項１記載の特徴によれば、主光軸上の術部に対して主照明光とは異なる角度で補助照明光を照射自在な補助照明手段が設けられているため、必要時に主照明光とは異なる角度で術部を照明することができ、術部の立体的状態をより正確に把握することができる。補助照明手段の光源がＬＥＤのため、補助照明手段を設けても手術顕微鏡の構造が大型化することはない。
【００１４】
請求項２記載の特徴によれば、補助照明手段が回転自在で補助照明光軸の主光軸に対する角度が可変であるため、術部に対する補助照明光の角度を変化させることができ、術部の立体的状態を確認できる最適角度を選んで補助照明光を照射することができる。
【００１５】
請求項３記載の特徴によれば、補助照明光が主光軸を挟んで対物レンズの１８０°反対側から術部へ向けて照射されるため、主照明光とは全く反対の方向からの影が術部に現れ、術部の立体的状況をより正確に把握することができる。
【００１６】
請求項４記載の特徴によれば、主照明光及び補助照明光がそれぞれ対物レンズに形成された切欠部から術部へ向けて照射されため、対物レンズを小さくすることができ、手術顕微鏡の構造をコンパクトにすることができる。
【００１７】
請求項５記載の特徴によれば、補助照明光が光束取入部付近でいったん集光するため、光束取入部付近の構造の大型化を防止することができる。
【図面の簡単な説明】
【００１８】
【図１】手術顕微鏡を示す斜視図。
【図２】光束取入部付近を示す斜視図。
【図３】手術顕微鏡を示す断面図。
【図４】対物レンズを示す平面図。
【図５】補助照明手段を示す側面図。
【図６】主照明光の照射状態を示す断面図。
【図７】補助照明光の照射状態を示す断面図。
【図８】補助照明光の角度を変化させた状態を示す断面図。
【発明を実施するための形態】
【００１９】
本発明の好適な実施形態を図１〜図８に基づいて説明する。
【００２０】
手術顕微鏡１は、手術室内において、図示せぬスタンド装置のアームに支持されている。手術顕微鏡１は、顕微鏡本体１ａの一端に接眼部２を有する立体顕微鏡で、内部には垂直方向に対物レンズ３、４が設置され、水平方向にズームレンズ６が設置されている。対物レンズ３、４は焦点調整のために上下方向で二組に分かれている。
【００２１】
対物レンズ３、４を経た光はプリズム５を介してズームレンズ６に導かれる。ズームレンズ６を経た光は、２つのプリズム７、８を介して接眼部２側に折り返される。
【００２２】
手術顕微鏡１の下部には光束取入部９が形成されている。光束取入部９の下方には、対物レンズ３、４の中心を通過する主光軸Ｚ上に位置する術部Ｅがあり、この術部Ｅからの反射光を主光軸Ｚに沿って光束取入部９より手術顕微鏡１の内部に取り入れ、内部の光学構造を介して接眼部２から術部Ｅの状態を拡大した状態で立体的に観察することができる。
【００２３】
手術顕微鏡１におけるズームレンズ６の下方には、キセノンランプを光源とする外部光源装置からの光ファイバー１０が接続される。光ファイバー１０からの光は主照明光Ｌ１として手術顕微鏡１の内部光路に設けられたレンズ１１やミラー１２を経て光束取入部９の照射口１３から術部Ｅに対して照射される。
【００２４】
図４に示すように、レンズ１１及びミラー１２の配列方向（Ａ方向或いはＢ方向）における対物レンズ４の両側には切欠部１４、１５がそれぞれ形成されている。切欠部１４、１５は対物レンズ４が主照明光Ｌ１や補助照明光Ｌ２と干渉することを避けるために形成される。切欠部１４、１５は対物レンズ４を例えば円弧状に切り欠くことで形成される。切欠部１４、１５によって形成された対物レンズ４の側面には遮光板が取り付けられる。主照明光Ｌ１用のミラー１２はその一方の切欠部１４部側に設けられ、主照明光Ｌ１はこの切欠部１４を通過して照射口１３より照射される。
【００２５】
図６に示すように、主照明光Ｌ１は主照明光軸Ｘに沿って進行する。即ち、Ａ方向に進行した主照明光Ｌ１は、ミラー１２によって反射された後、対物レンズ４の切欠部１４を通過して術部Ｅへ照射される。主照明光軸Ｘは対物レンズ４の主光軸Ｚに対して所定の角度ａを有している。
【００２６】
図５に示すように、対物レンズ４のもう一方の切欠部１５には補助照明手段１６が設けられている。補助照明手段１６はＬＥＤ光源１７と集光レンズ１８から構成されている。補助照明手段１６からの補助照明光Ｌ２は切欠部１５を通過して術部Ｅへ照射される。
【００２７】
この補助照明手段１６は円弧状のレール１９に支持されており、全体を光束取入部９における集光点Ｐを中心に円弧状に傾けることができる。即ち、レール１９を用いたユーセントリック機構によって、補助照明手段１６は、光の出射方向を集光点Ｐに向けつつ、集光点Ｐを中心とした円弧上を移動する。
【００２８】
補助照明手段１６のレール１９に沿った移動は図示せぬ電動ギア機構により行われる。電動ギア機構は手術顕微鏡１又はフットスイッチ等に設けられたスイッチ等により操作することができる。
【００２９】
補助照明手段１６から照射された補助照明光Ｌ２は集光レンズ１８を透過することにより集光点Ｐでいったん集光され、その後、拡散して術部Ｅを照らす。補助照明光Ｌ２の補助照明光軸Ｙは、主光軸Ｚに沿って術部Ｅを見た場合、主光軸Ｚを挟んでＡ方向と１８０°反対のＢ方向から術部Ｅ付近へ至る。
【００３０】
補助照明手段１６はレール１９に沿って移動するため、補助照明光軸Ｙの主光軸Ｚに対する角度ｂ（図７）は変化する。そのため補助照明光Ｌ２により照らされる部分は、主照明光Ｌ１とは照射される角度が相違するだけでなく、その位置が角度ｂの変化により術部Ｅに対して移動する。
【００３１】
この実施形態に係る手術顕微鏡１は以上のような構造のため、通常時は主照明光Ｌ１だけを術部Ｅに当てて接眼部２から術部Ｅの状態を立体的に観察する（図６）。
【００３２】
術部Ｅの状態を更に別の状態で観察したい場合（即ち、見えている陰影を変化させたい場合）は、主照明光Ｌ１に代えて、補助照明光Ｌ２を術部Ｅに照射する（図７）。
【００３３】
そうすると補助照明光Ｌ２の角度ｂが主照明光Ｌ１の角度ａと相違するため、術部Ｅの状態を今までとは異なった状態で観察することができ、術部Ｅの立体的状態（立体構造）をより正確に把握することができる。
【００３４】
また補助照明光Ｌ２の角度ｂは変化させることができるため、観察者は術部Ｅの状態を最も把握しやすい角度にすることができる。
【００３５】
尚、角度部ｂの変更により、補助照明光Ｌ２で照らされる部位も移動するため、例えば図８に示すように、主照明光Ｌ１と合わせて補助照明光Ｌ２を照射し、主照明光Ｌ１で照らされた術部Ｅの端部において、もっと光量が欲しい場合には、その端部まで補助照明光Ｌ２を移動させてその部分の光量を増加させることができる。
【００３６】
この実施形態によれば、主照明光Ｌ１も補助照明光Ｌ２も対物レンズ４の両側に形成された切欠部１４、１５を通過するため、その分、対物レンズ４を小さくすることができ、ひいては手術顕微鏡１の全体サイズも小さくすることができる。
【００３７】
また補助照明光Ｌ２が集光点Ｐで集光された状態で光束取入部９を通過するため、光束取入部９のサイズも小さくすることができる。
【００３８】
尚、以上の実施形態では、補助照明光軸Ｙが集光点Ｐを中心に角度変化するようにしたが、主光軸Ｚと主照明光軸Ｘの交点を中心に角度変化させるようにしても良い。その場合は補助照明光Ｌ２で照らされた部位は補助照明光軸Ｙの角度ｂが変化するだけで照射される位置は移動しない。
【００３９】
また補助照明手段１６を電動ギア機構で動かす説明をしたが、手動ギア機構や手動リンク機構で動かすようにしても良い。
【００４０】
更に、補助照明光Ｌ２の照射位置を主照明光Ｌ１の１８０°反対側のＢ方向にしたが、９０°相違するＣ方向やＤ方向にしても良い（図４参照）。
【００４１】
またレール１９によって規定される補助照明手段１６の移動経路（移動範囲）は、術部Ｅへの補助照明光Ｌ２の照射が可能である限り、主光軸Ｚを含む平面上のみに限られない。例えば、補助照明手段１６の移動経路は、主光軸Ｚに対して傾斜した平面上にあってもよい。
【００４２】
さらに、補助照明手段１６は集光点Ｐ（或いは主光軸Ｚと補助照明光軸Ｙとの交点）を中心とする球面上を二次元的に移動してもよい。この場合、補助照明手段１６を移動可能に支持する機構として、レール（第１レール）１９に加えて、レール１９を移動可能に支持する他のレール（第２レール、図示せず）を用いてもよい。
【００４３】
レール１９は、例えば、集光点Ｐ及び主光軸Ｚを含む平面（第１の平面）内の円弧上に補助照明手段１６の移動経路を規定する。この場合、第２レールは、主光軸Ｚと交差したときの補助照明光軸Ｙを含み且つ第１の平面に直交する第２の平面上にレール１９の移動経路を規定する。従って、補助照明手段１６は、光の出射方向を集光点Ｐ（或いは上述の交点）に向けつつ、集光点Ｐ（或いは上述の交点）を中心とした球面上を二次元的に移動することができ、補助照明手段１６の照射可能範囲が拡大する。
【符号の説明】
【００４４】
１  手術顕微鏡
１ａ  顕微鏡本体
３、４  対物レンズ
９  光束取入部
１４、１５  切欠部
１６  補助照明手段
１７  ＬＥＤ光源
１８  集光レンズ
Ｅ  術部
Ｌ１  主照明光
Ｌ２  補助照明光
Ｐ  集光点
Ｘ  主照明光軸
Ｙ  補助照明光軸
Ｚ  主光軸
ａ  主照明光の角度
ｂ  補助照明光の角度
【図１】
2016202431.tif 000003
【図２】
2016202431.tif 000004
【図３】
2016202431.tif 000005
【図４】
2016202431.tif 000006
【図５】
2016202431.tif 000007
【図６】
2016202431.tif 000008
【図７】
2016202431.tif 000009
【図８】
2016202431.tif 000010